(57)【特許請求の範囲】
【請求項１】
カメラ本体内において露光されるフィルム面の前方側に設けられた長方形の撮影画枠に適合する長方形断面の固定筒と、
該固定筒の内側にスライド可能に嵌入する長方形断面の第１可動筒と、
該第１可動筒の内側にスライド可能に嵌入する円形断面の第２可動筒と、を含み、撮影状態と収納状態とをとりうるズームレンズ鏡胴であって、
第１可動筒の内側であって収納状態において第２可動筒の外側に位置する空間内に電動部材を収容したことを特徴とする、ズームレンズ鏡胴。
【請求項２】
カメラ本体内において露光されるフィルム面の前方側に設けられた長方形の撮影画枠に適合する長方形断面の固定筒と、
該固定筒の内側にスライド可能に嵌入する長方形断面の可動筒と、
可動筒に対して相対的に回動可能であるが撮影光軸方向には相対移動不可に、該可動筒内に保持される円形断面の駆動筒と、
駆動筒に対して撮影光軸方向に相対移動可能に、該駆動筒の内面側に保持される１または２以上の撮影レンズ群と、を備えてなるズームレンズ鏡胴であって、
長方形断面の可動筒と円形断面の駆動筒との間に形成される空間内に電動部材を収容したことを特徴とする、ズームレンズ鏡胴。
【請求項３】
撮影光軸方向に延在するとともに同一円筒面内に含まれる複数の直進ガイド部が上記可動筒内に固定され、上記駆動筒がこれらの直進ガイド部の外側に回動可能に嵌合しており、
駆動筒の外周面の少なくとも一部に駆動ギア部およびヘリコイドが形成され、該ヘリコイドは、上記固定筒の内表面上に部分的に形成されたヘリコイド部と係合しており、
上記撮影レンズ群の枠体には、駆動筒の内周面に設けられたカム溝またはヘリコイドに係合するピンまたはヘリコイドと、直進ガイド部に係合する係合部とが設けられており、
駆動筒が駆動モータからの駆動力を上記駆動ギア部で受けて回動すると、これに連動して、可動筒が固定筒に対して相対的にスライドするとともに、撮影レンズ群が直進ガイド部に沿って撮影光軸方向に直進移動することを特徴とする、請求項２記載のズームレンズ鏡胴。
【請求項４】
上記空間内に配置される電動部材は、駆動筒を駆動する駆動モータ、シャッタ駆動用モータ、ＡＦユニット、ＡＥユニット、およびセルフタイマー用ＬＥＤのうちの少なくとも１つであることを特徴とする、請求項１、２または３記載のズームレンズ鏡胴。
【発明の詳細な説明】
【０００１】
【発明の属する技術分野】
本発明は、複数の筒状部材で構成される沈胴式のズームレンズ鏡胴に関し、さらに詳しくは、筒状部材間に確保したスペースにモータ等の電動部材を収容したズームレンズ鏡胴に関する。
【０００２】
【従来の技術】
撮影光軸に直交する断面が略長方形の筒体（以下、四角筒という。）を組み合わせてなる沈胴式（多段繰出し式）ズームレンズ鏡胴として、例えば、特開平１−１３０１１４号公報や特開平４−２８９８０６号公報に示されたものが知られている。
【０００３】
図１５〜１７は、３つの四角筒を入子式に組み合わせてなるそのようなズームレンズ鏡胴の一例を示している。図１５は、かかる鏡胴を突出（ｔｅｌｅ）状態で示す鉛直断面図である。図１６は、図１５の状態にある鏡胴を下面側から見た一部切欠き図であって、図１７は、同じく突出状態にあるズームレンズ鏡胴を示す水平断面図である。
【０００４】
フレーム１１１は、カメラ本体内に固定されており、露光される撮影フィルムの前方側（被写体側）に位置する。フレーム１１１には、長方形の撮影画枠１１２が形成されており、撮影レンズを通過した光を図中右側に位置する不図示のフィルムへと導く。
【０００５】
固定筒１２０は、光軸に直交するその断面が撮影画枠１１２に適合する長方形とされており、フレーム１１１に固定されている。すなわち、固定筒１２０は、カメラ本体に対して不動である。
【０００６】
駆動筒１３０は、固定筒１２０の内側に入子式に嵌合しており、図１６に示したネジ棒１１３で駆動されて固定筒１２０から繰り出される。すなわち、ネジ棒１１３は、カメラ本体に対して光軸方向には移動不可でかつ回動可能に固定されている。一方、駆動筒１３０は、その底面に、ネジ棒１１３と螺合するナット部１３１が設けられている。したがって、ネジ棒１１３が回動することによって、可動筒１３０は、光軸方向に前後動することができる。
【０００７】
なお、図中、１１４は駆動筒１３０の光軸方向における移動を案内するガイドバーであって、このガイドバー１１４には、駆動筒底面に固定されたスリーブ状部材１３２が嵌合している。さらに、１１５は駆動筒１３０がガイドバー１１４を中心として回動するのを禁止する回止め棒であって、この回止め棒１１５には、駆動筒上面に固定された係合部１３５が係合している。
【０００８】
駆動筒１３０の底部内表面上には、カム板１５０が配置されている。カム板１５０は、駆動筒底部内表面に設けた凹部内に嵌合する回動軸突起１５１によって駆動筒１３０に連結されており、したがって、駆動筒底部内表面上において該回動軸突起１５１を中心として回動可能である。カム板１５０の撮影者側端部付近にはピン１５２（図１６参照）が設けられており、このピン１５２は、固定筒１２０の底面に形成されたカムスロット１２１内に係合している。カムスロット１２１は撮影光軸に対して傾斜しているため、駆動筒１３０が固定筒１２０に対して相対移動すると、これに伴ってカム板１５０は回動軸突起１５１を中心として回動する。
【０００９】
カム板１５０の被写体側端部付近には２本のカムスロット１５３、１５４が形成されている。これらのカムスロットは、後で詳しく説明するが、第１および第２のレンズ群１６０、１７０を駆動筒１３０に対して相対移動させる機能を備える。駆動筒１３０の内側には、第１レンズ群１６０を保持する可動筒１４０と第２レンズ群１７０とが配置されており、これらは光軸方向に相対的に移動する。第１レンズ群１６０は、可動筒１４０に固定されたレンズ保持円筒１４１内に固定されており、第２レンズ群１７０は、その玉枠１７１内に固定されている。
【００１０】
図１５に示したように、駆動筒１３０の内側には、底面付近のガイドバー１３３と上面付近の回止め棒１３４との２本の棒状部材が固定されている。ガイドバー１３３は、第１レンズ群を保持する可動筒１４０および第２レンズ群の玉枠１７１の光軸方向における移動を案内する。可動筒１４０および玉枠１７１にはそれぞれスリーブ状部材１４２および１７２が固定されており、これらがガイドバー１３３に係合している。回止め棒１３４は、可動筒１４０および玉枠１７１がガイドバー１３３を中心として回動するのを禁止する。可動筒１４０および玉枠１７１にはそれぞれ係合部１４３、１７３が固定されており、これらが回止め棒１３４に係合している。したがって、可動筒１４０および玉枠１７１は、それぞれ、回動することなく光軸方向に前後動可能である。
【００１１】
可動筒１４０の底面側の位置にはピン１４４が、玉枠１７１の図１５中下方側の位置にはピン１７４が、それぞれ固定されている。そして、ピン１４４は前述のカム板被写体側端部付近に形成されたカムスロット１５３に、ピン１７４は同じくカム板被写体側端部付近でカムスロット１５３よりもやや撮影者側に形成されたカムスロット１５４に、それぞれ係合している。既に説明したように、固定筒１２０に対して駆動筒１３０が相対移動すると、それに連動してカム板１５０が回動する。そして、このカム板１５０に可動筒１４０および玉枠１７１がピン１４４および１７４を介して連結されているので、駆動筒１３０の前後動に連動して可動筒１４０および玉枠１７１も光軸方向に前後動する。また、２つのカムスロット１５３、１５４は、図１６からも分かるように、互いに角度をなして延在しているため、可動筒１４０と玉枠１７１とは、光軸方向に移動する際にその相対距離を変えながら移動することとなり、これによってズーミングを達成している。
【００１２】
既に説明したように、３つの筒１２０、１３０、１４０は、いずれも光軸に直交する断面が長方形とされた四角筒である。そして、固定筒１２０だけが常にカメラ内に不動に位置しており、駆動筒１３０および可動筒１４０がカメラ前面側から繰り出される構成となっている。図１５〜１７は、鏡胴部分のみを取り出して図示しているが、各図ににおいて固定筒１２０の前端部に示した破線Ａは、カメラ前面に位置する外装部材を示すものである。そして、フレーム１１１の図中右側にはフィルム面が位置することとなる。
【００１３】
今、図１７において、３つの四角筒の先端に位置する筒、すなわち可動筒１４０に着目する。光軸に直交する断面が長方形の可動筒１４０の内側には、既に説明したように、第１レンズ群１６０を保持するレンズ保持円筒１４１が配置されている。そして、断面長方形の可動筒１４０と断面円形のレンズ保持円筒１４１との組み合わせによって、その内部に一定の空間１４０ａが生じている。なお、この空間は、鏡胴の鉛直断面図である図１５にも少しは現れるが有効利用するには狭く、鏡胴の水平断面図である図１７にその大半が現れる。そして、この空間１４０ａ内にシャッタ用アクチュエータ１４７およびフォーカスメカ１４９を駆動するフォーカス用モータ１４８を組み込むことによって、カメラ内における空間の有効利用を図り、これによってカメラ全体の小型化を達成している。
【００１４】
しかしながら、鏡胴を構成するすべての筒状部材が四角筒である図１５〜１７に示したような構成においては、上記空間１４０ａは、互いに入子式に嵌合する複数の筒状部材のうち最も内側に位置する筒（図示の例では、可動筒１４０）内に必然的に生じることとなる。当然のことながら、そのような筒状部材は、ｔｅｌｅ状態においてはカメラ本体から最も離れた位置（すなわち、最も被写体側の位置）に存在することとなり、上記空間１４０ａ内にモータ等の電動部材を配置する場合には、カメラ本体側からの電気配線も長くとらざるをえず、電気配線の引回し等を考える上では不利な構成であると言える。
【００１５】
【発明が解決しようとする課題】
したがって、本発明が解決すべき技術的課題は、沈胴式の鏡胴において、該鏡胴内の空間に電動部材を配置してカメラ内の空間の有効利用を図る際に、カメラ本体側から該電動部材への電気配線の引回し等が有利になる沈胴式鏡胴を提供することである。
【００１６】
【課題を解決するための手段・作用・効果】
本発明は、上記課題を有効に解決するために創案されたものであって、以下の特徴を有するズームレンズ鏡胴を提供するものである。
【００１７】
すなわち、本発明のズームレンズ鏡胴は、「カメラ本体内において露光されるフィルム面の前方側に設けられた長方形の撮影画枠に適合する長方形断面の固定筒」と「該固定筒の内側にスライド可能に嵌入する長方形断面の第１可動筒」と「該第１可動筒の内側にスライド可能に嵌入する円形断面の第２可動筒」とを含み、撮影状態と収納状態とをとりうる沈胴式のズームレンズ鏡胴である。そして、第１可動筒の内側であって収納状態において第２可動筒の外側に位置する空間内に電動部材を収容したことを特徴としている。
【００１８】
上記構成のズームレンズ鏡胴においては、鏡胴が最も伸張した状態においては、少なくとも第２可動筒の方が第１可動筒よりも被写体側（すなわち、カメラ本体からより遠い側）に位置することとなる。そして、電動部材を配置するための空間を第２可動筒の内側ではなく第１可動筒の内側に設けている。言い換えると、互いに入子式に組み合わせられた複数の可動筒を備えるズームレンズ鏡胴が最も伸張した状態にあるとき、電動部材を収容するための空間が該鏡胴内において、カメラ本体側から最も遠い位置ではなく、比較的カメラ本体に近い位置に配置されているのである。
【００１９】
したがって、例えば図１５〜１７に示したような従来の鏡胴に比べて、カメラ本体側から該電動部材への電気配線の引回しが比較的有利になる。
【００２０】
さらに本発明により、「カメラ本体内において露光されるフィルム面の前方側に設けられた長方形の撮影画枠に適合する長方形断面の固定筒」と「該固定筒の内側にスライド可能に嵌入する長方形断面の可動筒」と「可動筒に対して相対的に回動可能であるが撮影光軸方向には相対移動不可に、該可動筒内に保持される円形断面の駆動筒」と「駆動筒に対して撮影光軸方向に相対移動可能に、該駆動筒の内面側に保持される１または２以上の撮影レンズ群」とを備えてなるズームレンズ鏡胴であって、長方形断面の可動筒と円形断面の駆動筒との間に形成される空間内に電動部材を収容したことを特徴とするズームレンズ鏡胴が提供される。
【００２１】
上記構成のズームレンズ鏡胴においても、鏡胴が最も伸張した状態では、複数の撮影レンズ群のうち最もカメラ前方側に位置するレンズ群は可動筒よりも被写体側（すなわち、カメラ本体からより遠い側）に位置することとなる。そして、電動部材を配置するための空間が、そのようなレンズ群を保持する枠体よりもカメラ本体側に近い可動筒の内側に設けられているので、上記ズームレンズ鏡胴の場合と同様の効果が得られる。
【００２２】
駆動筒を備える上記ズームレンズ鏡胴においては、撮影光軸方向に延在するとともに同一円筒面内に含まれる複数の直進ガイド部が上記可動筒内に固定され、上記駆動筒がこれらの直進ガイド部の外側に回動可能に嵌合しており、駆動筒の外周面の少なくとも一部に駆動ギア部およびヘリコイドが形成され、該ヘリコイドは、上記固定筒の内表面上に部分的に形成されたヘリコイド部と係合しており、上記撮影レンズ群の枠体には、駆動筒の内周面に設けられたカム溝またはヘリコイドに係合するピンまたはヘリコイドと、直進ガイド部に係合する係合部とが設けられていることが好ましい。かかる構成を採用した場合には、駆動筒が駆動モータからの駆動力を上記駆動ギア部で受けて回動すると、これに連動して、可動筒が固定筒に対して相対的にスライドするとともに、撮影レンズ群が直進ガイド部に沿って撮影光軸方向に直進移動する。
【００２３】
本発明において、上記空間内に配置される電動部材としては、上記駆動筒を駆動するモータ等の鏡胴駆動用モータ、シャッタ駆動用モータ、ＡＦ（自動焦点調節）ユニット、ＡＥ（自動露出）ユニット、およびセルフタイマー用ＬＥＤ等が考えられる。勿論、この空間内に配置することができるカメラ構成要素がこれらに限定されるものではない。
【００２４】
【発明の実施の形態】
本発明の実施の形態を添付の図面を参照して以下に詳細に説明する。図１は、本発明の一実施形態に係るカメラのズームレンズ鏡胴の分解斜視図である。また、図２は、図１のズームレンズ鏡胴を備えるカメラ１０を概略的に示す斜視図である。
【００２５】
後述の【図面の簡単な説明】の欄において説明した図３〜１２をさらに参照して、ズームレンズ鏡胴の機構を下に詳細に説明する。なお、以下においては、ズーミングおよびフォーカシングを同一機構で行う“ズームフォーカス一体駆動”タイプのカメラを例にとって説明を行うが、本発明のズームレンズ鏡胴がそのようなカメラにのみ採用されるものではないことは勿論である。
【００２６】
固定筒２０は、図２にも示したように、カメラ本体内において露光される撮影フィルムの前方側のフレーム１１に固定される断面長方形の部材であって、そのサイズは、フィルム前方側に確保されたフレーム１１上の撮影画枠１２のサイズに対応している。
【００２７】
可動筒３０（第１可動筒）は、固定筒２０の内側にスライド可能に嵌合される断面長方形の部材である。可動筒３０の両側面には姿勢保持用ピン３１が設けられており、この姿勢保持用ピン３１は、固定筒２０の両側面に撮影光軸方向に沿って形成された直線状の案内スロット２１内を摺動する。なお、ズームレンズ鏡胴の組立後においては、姿勢保持用ピン３１は固定筒２０の外表面を越えて突出しており、この突出したピン３１の先端部が支持アーム（可動筒姿勢保持具）７５に支持されている。支持アーム７５は、左右のアーム部７６および７７をステー７８で連結してなり、ステー７８は、その長手軸回りに回動可能とされている。両アーム部７６、７７は、ステーの両端から該ステーに対して直角かつ同一方向に延在している。各アーム部の先端付近には長手方向に沿って延びるスロット７６ａ、７７ａが形成されており、ピン３１の先端部がこれらのスロット内で摺動する。可動筒３０が撮影光軸方向にスライドしている間、ピン３１が支持アーム７５に支持されるので、可動筒３０のスライド中における姿勢が維持される。なお、可動筒３０が撮影光軸方向にスライドする際、該可動筒３０の軸心を固定筒２０の軸心と一致させつつ正確に繰り出す必要があるが、その機構については後に詳述する。
【００２８】
可動筒３０の前面には鏡胴の受光面を構成する開口部３２が設けられており、この開口部３２の周囲には、撮影者側に向かって突出する直進ガイド部３３がほぼ等間隔で３つ形成されている。すなわち、これらの直進ガイド部３３は、同一の円筒面内に含まれるように配置されている。これらの直進ガイド部３３は、後述する第１および第２のレンズ群の撮影光軸方向の直進移動をガイドするものであるが、可動筒３０の内側に配置される駆動筒４０を回動可能に支持する駆動筒支持部材としての機能も兼ね備えている。
【００２９】
駆動筒４０は、３本の直進ガイド部３３に外嵌されており、可動筒３０に対して相対回転することが可能である。また、各直進ガイド部３３の先端に形成された係止フック部３３ａが駆動筒４０の内周面に形成された環状溝４５（図３参照）内に嵌合しているので、駆動筒４０は、可動筒３０に対して撮影光軸方向には相対移動することはできない。すなわち、可動筒３０と駆動筒４０とは、撮影光軸方向には一体的に移動する。駆動筒４０の撮影者側端部には、ギア部４１およびヘリコイド４２が設けられている。前方側のギア部４１は、駆動モータ８０（図４、６、８、９、１０、１１参照）から不図示の減速系をへて駆動力を受ける駆動ギアである。一方、後方側に設けられた大径のヘリコイド４２は、固定筒２０の上側内表面および下側内表面に形成されたヘリコイド部２２と係合する。すなわち、駆動筒４０がそのギア部４１において駆動力を受けて可動筒３０に対して回転すると、該駆動筒４０のヘリコイド４２が固定筒２０のヘリコイド部２２に沿って移動し、その結果、駆動筒４０は固定筒２０に対して回転しながら前進または後退できる。
【００３０】
以上の説明から分かるように、鏡胴部内に配置された駆動モータ８０によって駆動筒４０が回転すると、駆動筒４０は、可動筒３０内で回動しながら撮影光軸方向に固定筒２０に対して相対的に前後動する。そして、可動筒３０が駆動筒４０とともに撮影光軸方向に移動する。本実施形態のズームレンズ鏡胴においては、可動筒３０を断面長方形の部材とし、かつ、駆動筒４０を断面円形の部材としている。そして、これにより両者の間に形成した空間３９内に、電動部材を搭載することにより、カメラ全体を小型化している。この空間３９は、ズームレンズ鏡胴の鉛直断面図には現れないが、水平断面図には現れる（図４、６、８参照）。
【００３１】
ここで、従来の構成を示す図１７と本発明に係る構成を示す図８とを比較すれば分かるように、従来においては、３つの筒状部材のうちｔｅｌｅ状態においてはカメラ本体から最も遠くなる最前方の筒状部材内に電動部材が配置されているのに対して、本発明においては、３つの筒状部材のうち中央の筒状部材（すなわち、比較的カメラ本体側に近い筒状部材）内に電動部材が配置されている。したがって、これらの電動部材に対するカメラ本体側からの電気配線の引回し等が従来の構成に比べて比較的容易になる。
【００３２】
なお、上記空間３９は、断面長方形の可動筒（第１可動筒）３０と断面円形の駆動筒４０との間に形成された空間であるが、可動筒３０とその内側に存在する後述の第１レンズ群６０の枠体（第２可動筒）６１との間に形成された空間（すなわち、第１可動筒の内側であって収納状態において第２可動筒の外側に位置する空間）であるとも考えられる。
【００３３】
既に説明したように可動筒３０は断面長方形の部材であって、同じく断面長方形の固定筒２０内をスライドする。この際に、可動筒３０の軸心を固定筒２０の軸心と一致させつつ正確に繰り出すためには、固定筒２０に対する可動筒３０の相対的な平行偏心および同じく相対的な傾斜の両方を拘束する必要がある。これらの機構について以下に説明する。
【００３４】
まず、上記相対的平行偏心は以下のようにして拘束される。すなわち、可動筒３０の両側面に設けられた姿勢保持用ピン３１が、固定筒２０の両側面に光軸方向に形成された案内スロット２１と係合することによって、可動筒３０が固定筒２０に対して鉛直方向に平行に偏心することを防止している。また、図１に最も良く示されるように、可動筒３０の両側面における姿勢保持用ピン３１近傍の位置には、平板状に隆起した当接部３４が設けられており、これが固定筒２０の内面に当接することによって、可動筒３０が固定筒２０に対して水平方向に平行に偏心することを防止している。
【００３５】
次に、上記相対的傾斜は以下のようにして拘束される。すなわち、可動筒３０内に保持した駆動筒４０のヘリコイド４２が固定筒２０の上下の内面に形成したヘリコイド部２２と係合することによって、可動筒３０の鉛直面内における傾斜が拘束される。また、可動筒３０の両側面から突出する姿勢保持用ピン３１が支持アーム７５の両アーム部７６、７７と係合することによって、可動筒３０の水平面内における傾斜が拘束される。この場合、駆動筒４０のヘリコイド４２が固定筒２０の上下面で拘束（すなわち、撮影光軸に直交する方向においてある程度の距離を保った２カ所で拘束）され、可動筒３０の両面の各ピン３１が支持アームの対向する両アーム部７６、７７で拘束（同じく、撮影光軸に直交する方向においてある程度の距離を保った２カ所で拘束）されるため、図１５〜１７に示した従来例に比べて、可動筒３０をその姿勢を高精度に維持しつつ光軸方向に大きなスパンでスライドさせることができる。
【００３６】
すなわち、図１５〜１７に示したような、入子式に嵌合する複数の断面長方形の筒部材を採用する従来の鏡胴においては、筒部材の姿勢保持のために、光軸方向に延在して設けたガイドバー１１４、１３３に対して、各筒部材に固定したスリーブ状部材１３２、１４２、１７２を嵌合させるとともに、ガイドバー１１４、１３３を中心とする各筒部材の回動を禁止する回止め棒１１５、１３４を設けていた。そして、この場合には、姿勢保持精度を高めるためには、各筒部材に固定したスリーブ状部材１３２、１４２、１７２の光軸方向長さを大きくとる必要があり、したがってその場合には、姿勢を高精度に維持しつつ各筒部材を光軸方向に大きなスパンでスライドさせることが困難であった。
【００３７】
これに対して、本発明の上記構成によれば、可動筒３０は、鉛直方向においても水平方向においても、「撮影光軸に直交する方向においてある程度の距離を保った２カ所で拘束」されており、これらは、「従来技術におけるスリーブ状部材の光軸方向長さ」に対応している。そしてこれらは、もともと、スリーブ状部材の光軸方向長さよりも遙かに長く、しかも、「駆動筒４０のヘリコイド４２および可動筒３０の両面から突出する各ピン３１のいずれも、光軸方向に延在する距離は極僅か」である。したがって、従来に比べて、可動筒３０をその姿勢を高精度に維持しつつ光軸方向に大きなスパンでスライドさせることができる。
【００３８】
また、本発明においては、後述するように、支持アーム７５を有効に利用することにより、ズームレンズ鏡胴の進退移動に連動してカメラ本体側の機構部を駆動することもできる。
【００３９】
駆動筒４０の内側には、第１レンズ群６０および第２レンズ群７０が配置されている。第１レンズ群６０の枠体（第２可動筒）６１の撮影者側端部にはヘリコイド６２が設けられており、このヘリコイド６２は、駆動筒４０の内周面に形成されたヘリコイド４６と係合している。図９の断面図からも分かるように、ヘリコイド６２は枠体６１の周方向に沿って３つに分割されており、その間に形成される係合凹部に直進ガイド部３３がそれぞれ係合する。各係合凹部は、可動筒３０に固定された前記直進ガイド部３３に対して回動不可に係合しているため、駆動筒４０が回動すると、ヘリコイド６２とヘリコイド４６との関係で、第１レンズ群６０は駆動筒４０に対して（同時に、固定筒２０に対しても）撮影光軸方向に相対的に移動する。
【００４０】
なお、分割されたヘリコイド６２間の３つの係合凹部のうち、図９中の左上方部および下方部に現れるものについては、単に直進ガイド部３３と係合するだけであるが、図９中右上方に現れるものについては、当該凹部が突起６３で２つの凹部６３ａおよび６３ｂに区切られていて（図１参照）、凹部６３ａが直進ガイド部３３と係合する係合凹部として機能する。他方の凹部６３ｂは、後に説明するシャッタ駆動リング５５の外周部に設けた係合凹部５５ａの回動が許容される範囲を規定するものである。
【００４１】
第２レンズ群７０の枠体７１の外周面には、放射状に突出する３本のピン７２が設けられている。これらのピン７２は、駆動筒４０の内周面に形成されたカム溝４７と係合している。一方、図１１の断面図からも分かるように、第２レンズ群の枠体７１の外表面には可動筒３０に固定された前記直進ガイド部３３と係合する係合凹部７３が３つ設けられている。各係合凹部７３は、ピン７２とそれに隣接する突起７４とで構成されている。係合凹部７３が直進ガイド部３３に対して回動不可に係合しているため、駆動筒４０が回動すると、カム溝４７により第２レンズ群７０は駆動筒４０に対して（同時に、固定筒２０に対しても）撮影光軸方向に相対的に移動する。
【００４２】
なお、図９および図１０の両断面図を比較すると分かるように、図９においては、３本の各直進ガイド部３３の両側面に第１レンズ群６０の枠体６１に形成されたヘリコイド６２または突起６３が当接しているが、図１０においては、第１レンズ群６０のどの部分も直進ガイド部３３には当接しておらず、第２レンズ群７０の枠体７１に形成されたピン７２および突起７４が直進ガイド部３３の両側面に当接している。このことから分かるように、第１レンズ群６０の枠体に形成されたヘリコイド６２間の各係合凹部は、図１では明瞭に示されていないが撮影光軸方向後方（撮影者側）に向かうにつれて周方向幅が大きくなるように段が付けられている。そして、この周方向幅が大きくなった部分は、２つのレンズ群６０および７０が接近した場合（ｔｅｌｅ状態）に第２レンズ群７０に対する逃げとして機能する。つまり、この周方向幅の大きくなった部分に、第２レンズ群７０のピン７２および突起７４が直進ガイド部３３の両側面に当接しつつ入り込むのである。そして、図１０は、その状態を示している。
【００４３】
なお、図示の例においては、駆動筒の内面側に保持されるレンズ群の数は２つであるが、レンズ群の数に特に限定はなく、１つであっても３つ以上であってもよい。
【００４４】
図１において、５０はシャッタ駆動キーを、５５はシャッター駆動リングを、それぞれ示している。シャッタ駆動リング５５は、図３〜８の各断面図に示したように、第１レンズ群６０の後端部に設けられたシャッタ機構部６５に連結されており、これをシャッタ駆動キー５０で駆動することによってシャッタ機構部６５を動作することができる。
【００４５】
シャッタ駆動キー５０は、リング部材５１と棒状キー部材５２とから構成されている。すなわち、リング部材５１は、図３〜８の各断面図に示したように、駆動筒４０の前端面と可動筒３０の内面との間で３本の直進ガイド部３３の周囲に回動可能であって、かつ該ガイド部に対しては光軸方向に不動に外嵌されている。図９の断面図からも分かるように、リング部材５１の外周部に沿ってギア部５１ａが部分的に形成されており、シャッタ駆動モータ６６の駆動軸に固定されたピニオン６７からの駆動力がギア６８を介してこのギア部５１ａに伝達される。棒状キー部材５２は、リング部材５１から撮影者側へと向かって撮影光軸方向に直線的に延在しており、シャッタ機構部６５に対してシャッタ開閉の為、光軸方向に不動に、かつ、回転可能に嵌装されたシャッタ駆動リング５５に連結されている。シャッタ駆動リング５５の外周部には係合凹部５５ａが設けられており、該係合凹部５５ａ内に棒状キー部材５２が係合している。したがって、シャッタ機構部６５と一体化した第１レンズ群６０が、ズーミングにより駆動筒４０に対して光軸方向に移動しても、棒状キー部材５２が長さを有しているので係合凹部５５ａから外れることはなく、ズーミング全域にわたって連結が保たれる。すなわち、全てのズーム域で、シャッタ駆動モータ６６によってシャッタ駆動キー５０が回動すると、これに伴ってシャッタ駆動リング５５も回動し、これによって、シャッタ機構部６５が動作される。
【００４６】
既に説明したように、固定筒２０内をスライドする可動筒３０に連動して、上記可動筒姿勢保持具（支持アーム７５）が回動する。そして、図１２は、ズームレンズ鏡胴が最も伸張した状態（ｔｅｌｅ状態）を示している。本発明においては、このように回動する支持アーム７５を利用してカメラ本体側の機構部を駆動することができる。これについて以下に説明する。
【００４７】
図１２に示した支持アーム７５においては、一方のアーム部７６の回動ステー側端部にギア部７８ａを一体的に形成している（なお、図１においてはこのギア部７８ａの図示は省略している）。ギア部７８ａは、カメラ本体側に設けられた機構部につらなるギア列の最終ギア（不図示）と係合しており、これによって、ズームレンズ鏡胴の進退移動に連動してカメラ本体側の機構部を駆動することができる。カメラ本体側に設けられた機構部としては、レンズバリアの開閉駆動機構や、リトラクタブルタイプのフラッシュを備えるカメラにおけるフラッシュ開閉駆動機構等が考えられる。他にも、ズーミングに応じてフラッシュの照射角を変更するカメラにおいては、発光管と反射傘との間隔を変更する駆動機構が考えられる。さらには、レンズシャッタカメラにおけるファインダ光学系のズーミング機構等が考えられる。
【００４８】
以上のようなカメラ本体側の機構部への駆動力伝達の別法として、上記可動筒姿勢保持具の回動ステーにカム面を設け、該カム面により、カメラ本体側機構部動作ピン等のカム係合部を駆動する方法も考えられる。勿論、可動筒の直進移動から直接駆動してもよい（例えば、可動筒３０の側面から突出するピン３１によって、カメラ本体側機構部動作ピン等を駆動する方法等）。
【００４９】
以上図示した実施形態においては、上記空間３９内に配置される電動部材として、駆動筒を駆動する駆動モータ８０およびシャッタ駆動用モータ６６を示しているが、本発明において、空間３９内に配置される要素がこれらのものに限定されるものではない。図１３は、投光部と受光部とを備えるアクティブＡＦユニットを空間３９内に配置した別例の外観図を示している。図１３は、ズームレンズ鏡胴部分の前面部分のみを示したものであるが、可動筒３０の前面に投光窓９１および受光窓９２が現れている。この場合、駆動筒用およびシャッタ用の駆動モータは、鏡胴内部においてＡＦユニットの下方側に配置される。なお、図１３においては、可動筒に形成された姿勢保持用ピン３１や当接部３４の図示は省略している。
【００５０】
図１４は、ＡＥユニットおよびセルフタイマー用ＬＥＤを空間３９内に配置した別例の外観図を示している。可動筒３０の前面にＬＥＤ発光部９３およびＡＥ用受光窓９４が現れている。この場合においても、駆動筒用およびシャッタ用の駆動モータは、鏡胴内部の下方側に配置される。図１４においても、可動筒に形成された姿勢保持用ピン３１や当接部３４の図示は省略している。以上図示した例の他にも、例えば、コンパクトに一体化したパッシブＡＦユニットや、可動筒３０の前面にファインダ窓（図示せず）を設け、上記空間をファインダ光路として利用することも考えられる。勿論、この空間内に配置することができるカメラ構成要素がこれらに限定されるものではない。
【図面の簡単な説明】
【図１】本発明の一実施形態に係るカメラのズームレンズ鏡胴の分解斜視図である。
【図２】図１のズームレンズ鏡胴を備えるカメラを概略的に示す斜視図である。
【図３】沈胴状態にあるズームレンズ鏡胴の鉛直断面図である。
【図４】沈胴状態にあるズームレンズ鏡胴の水平断面図である。
【図５】沈胴状態と最伸張状態との間の位置にあるズームレンズ鏡胴の鉛直断面図である。
【図６】沈胴状態と最伸張状態との間の位置にあるズームレンズ鏡胴の水平断面図である。
【図７】最伸張状態にあるズームレンズ鏡胴の鉛直断面図である。
【図８】最伸張状態にあるズームレンズ鏡胴の水平断面図である。
【図９】図３の９−９線断面図である。
【図１０】図３の１０−１０線断面図である。
【図１１】図３の１１−１１線断面図である。
【図１２】最伸張状態にあるズームレンズ鏡胴の側面図である。
【図１３】可動筒と駆動筒との間の空間に投光部と受光部とを備えるアクティブＡＦユニットをを配置した別の例を示す外観図である。
【図１４】可動筒と駆動筒との間の空間にＡＥユニットおよびセルフタイマー用ＬＥＤを配置した別の例を示す外観図である。
【図１５】四角筒を組み合わせてなる従来の沈胴式鏡胴をｔｅｌｅ状態で示す鉛直断面図である。
【図１６】図１５の鏡胴を下面側から見た一部切欠き図である。
【図１７】図１５の鏡胴を示す水平断面図である。
【符号の説明】
１０  カメラ
１１  フレーム
１２  撮影画枠
２０  固定筒
２１  案内スロット（開口部）
２２  ヘリコイド部
３０  可動筒
３１  姿勢保持用ピン
３２  前面開口部
３３  直進ガイド部
３４  当接部
３３ａ  係止フック部
３９  空間
４０  駆動筒
４１  駆動ギア
４２  ヘリコイド
４５  環状溝
４６  ヘリコイド
４７  カム溝
５０  シャッタ駆動キー
５１  リング部材
５１ａ  ギア部
５２  棒状キー部材
５５  シャッタ駆動リング
６０  第１レンズ群
６１  枠体
６２  ヘリコイド
６３  突起
６３ａ  係合凹部
６３ｂ  凹部
６５  シャッタ機構部
６６  シャッタ駆動モータ
６７  ピニオン
６８  ギア
７０  第２レンズ群
７１  枠体
７２  ピン
７３  係合凹部
７４  突起
７５  支持アーム（可動筒姿勢保持具）
７６  アーム部
７６ａ  スロット
７７  アーム部
７７ａ  スロット
７８  回動ステー
７８ａ  ギア部
８０  駆動モータ
９１  投光窓
９２  受光窓
９３  ＬＥＤ発光部
９４  ＡＥ用受光窓
１１１  フレーム
１１２  撮影画枠
１１３  ネジ棒
１１４  ガイドバー
１１５  回止め棒
１２０  固定筒
１３０  駆動筒
１３１  ナット部
１３２  スリーブ状部材
１３３  ガイドバー
１３４  回止め棒
１３５  係合部
１４０  可動筒
１４０ａ  空間
１４１  レンズ保持円筒
１４２  スリーブ状部材
１４３  係合部
１４４  ピン
１４７  シャッタ用アクチュエータ
１４８  フォーカス用モータ
１４９  フォーカスメカ
１５０  カム板
１５１  回動軸突起
１５２  ピン
１５３、１５４  カムスロット
１６０  第１レンズ群
１７０  第２レンズ群
１７１  玉枠
１７２  スリーブ状部材
１７３  係合部
１７４  ピン
【図１】
0003598817.tif 000002
【図２】
0003598817.tif 000003
【図３】
0003598817.tif 000004
【図４】
0003598817.tif 000005
【図５】
0003598817.tif 000006
【図６】
0003598817.tif 000007
【図７】
0003598817.tif 000008
【図８】
0003598817.tif 000009
【図９】
0003598817.tif 000010
【図１０】
0003598817.tif 000011
【図１１】
0003598817.tif 000012
【図１２】
0003598817.tif 000013
【図１３】
0003598817.tif 000014
【図１４】
0003598817.tif 000015
【図１５】
0003598817.tif 000016
【図１６】
0003598817.tif 000017
【図１７】
0003598817.tif 000018